(57)【要約】【課題】  画像データのセキュリティ管理をより向上することができる情報処理装置及びその制御方法、プログラムを提供する。【解決手段】  画像データにセキュリティポリシーを付与することが可能なフォーマットに該画像データを変換する前の該画像データの画像データ付属情報に追加する、セキュリティポリシーに関連付けられた擬似セキュリティポリシーを管理する。入力した画像データに対する擬似セキュリティポリシーを取得する。取得した擬似セキュリティポリシーを、前記入力した画像データの画像データ付属情報に追加する。擬似セキュリティポリシーが追加された画像データ付属情報と、対応する画像データとを記憶する。【選択図】  図２
2008310774.tif 000002
【特許請求の範囲】
【請求項１】
入力した画像データのセキュリティ管理を行う情報処理装置であって、
画像データにセキュリティポリシーを付与することが可能なフォーマットに該画像データを変換する前の該画像データの画像データ付属情報に追加する、前記セキュリティポリシーに関連付けられた擬似セキュリティポリシーを管理する管理手段と、
入力した画像データに対する擬似セキュリティポリシーを前記管理手段から取得する第１取得手段と、
前記第１取得手段で取得した擬似セキュリティポリシーを、前記入力した画像データの画像データ付属情報に追加する追加手段と、
前記追加手段で擬似セキュリティポリシーが追加された画像データ付属情報と、対応する画像データとを記憶する記憶手段と
を備えることを特徴とする情報処理装置。
【請求項２】
前記管理手段は、画像データの入力方式の種類毎に、前記擬似セキュリティポリシーを管理し、
前記第１取得手段は、前記入力した画像データの入力方式の種類に応じて、該画像データに対する擬似セキュリティポリシーを前記管理手段から取得する
ことを特徴とする請求項１に記載の情報処理装置。
【請求項３】
前記記憶手段に記憶された画像データのフォーマットを、前記セキュリティポリシーを付与することが可能なフォーマットに変換する変換手段と、
前記セキュリティポリシーを管理する管理装置から、前記画像データに対応する前記画像データ付属情報に追加されている擬似セキュリティポリシーに関連づけられているセキュリティポリシーを取得する第２取得手段と、
前記第２取得手段で取得したセキュリティポリシーを、前記変換手段による変換後の画像データに付与する付与手段と
を更に備えることを特徴とする請求項１に記載の情報処理装置。
【請求項４】
前記入力方式は、スキャナ入力、ファクシミリ受信入力、電子メール受信入力の少なくとも１つを含む
ことを特徴とする請求項２に記載の情報処理装置。
【請求項５】
前記セキュリティポリシーは、当該情報処理装置が実現する機能別に、該機能を制限するための情報である
ことを特徴とする請求項１に記載の情報処理装置。
【請求項６】
入力した画像データのセキュリティ管理を行う情報処理装置の制御方法であって、
管理手段が、画像データにセキュリティポリシーを付与することが可能なフォーマットに該画像データを変換する前の該画像データの画像データ付属情報に追加する、前記セキュリティポリシーに関連付けられた擬似セキュリティポリシーを記憶媒体に管理する管理工程と、
取得手段が、入力した画像データに対する擬似セキュリティポリシーを前記記憶媒体から取得する取得工程と、
追加手段が、前記取得工程で取得した擬似セキュリティポリシーを、前記入力した画像データの画像データ付属情報に追加する追加工程と、
記憶手段が、前記追加工程で擬似セキュリティポリシーが追加された画像データ付属情報と、対応する画像データとを記憶媒体に記憶する記憶工程と
を備えることを特徴とする情報処理装置の制御方法。
【請求項７】
入力した画像データのセキュリティ管理を行う情報処理装置の制御をコンピュータに実行させるためのコンピュータプログラムであって、
画像データにセキュリティポリシーを付与することが可能なフォーマットに該画像データを変換する前の該画像データの画像データ付属情報に追加する、前記セキュリティポリシーに関連付けられた擬似セキュリティポリシーを記憶媒体に管理する管理工程と、
入力した画像データに対する擬似セキュリティポリシーを前記記憶媒体から取得する取得工程と、
前記取得工程で取得した擬似セキュリティポリシーを、前記入力した画像データの画像データ付属情報に追加する追加工程と、
前記追加工程で擬似セキュリティポリシーが追加された画像データ付属情報と、対応する画像データとを記憶媒体に記憶する記憶工程と
をコンピュータに実行させることを特徴とするコンピュータプログラム。
【発明の詳細な説明】
【技術分野】
【０００１】
本発明は、入力した画像データのセキュリティ管理を行う情報処理装置及びその制御方法、コンピュータプログラムに関するものである。
【背景技術】
【０００２】
近年、文書セキュリティに関する市場の関心が高まると共に、ニーズが拡大している。このような中、画像データとそのセキュリティを確保するためのセキュリティデータをサーバで管理し、情報処理装置において画像データを管理する構成が存在する（例えば、特許文献１）。この構成では、情報処理装置は、サーバと連携することで、画像データのデータ照合と追跡管理を行う。そして、このデータ照合と追跡管理を行うにあたり、情報処理装置は、画像データとセキュリティタグをサーバに送信し、必要に応じて処理を行う。
【特許文献１】特開２００３−１２２６１６
【発明の開示】
【発明が解決しようとする課題】
【０００３】
情報処理装置において、画像データのセキュリティ管理を行うために、セキュリティポリシーを付与する方法がある。
【０００４】
そのため、従来は、画像データのフォーマットを、セキュリティポリシーを付与することが可能な特定のフォーマットに変換する必要があった。
【０００５】
例えば、画像データのフォーマットを一旦ＰＤＦフォーマットに変換し、セキュリティポリシーを管理するポリシーサーバへアクセスして、セキュリティポリシーの取得と画像データへの適応を行っている。このため、画像データを、セキュリティポリシーを付与することが可能な特定のフォーマットに変換するまでの間は、充分なセキュリティ管理がなされているとは言えない。
【０００６】
本発明は上記の課題を解決するためになされたものであり、画像データのセキュリティ管理をより向上することができる情報処理装置及びその制御方法、プログラムを提供することを目的とする。
【課題を解決するための手段】
【０００７】
上記の目的を達成するための本発明による情報処理装置は以下の構成を備える。即ち、
入力した画像データのセキュリティ管理を行う情報処理装置であって、
画像データにセキュリティポリシーを付与することが可能なフォーマットに該画像データを変換する前の該画像データの画像データ付属情報に追加する、前記セキュリティポリシーに関連付けられた擬似セキュリティポリシーを管理する管理手段と、
入力した画像データに対する擬似セキュリティポリシーを前記管理手段から取得する第１取得手段と、
前記第１取得手段で取得した擬似セキュリティポリシーを、前記入力した画像データの画像データ付属情報に追加する追加手段と、
前記追加手段で擬似セキュリティポリシーが追加された画像データ付属情報と、対応する画像データとを記憶する記憶手段と
を備える。
【０００８】
また、好ましくは、前記管理手段は、画像データの入力方式の種類毎に、前記擬似セキュリティポリシーを管理し、
前記第１取得手段は、前記入力した画像データの入力方式の種類に応じて、該画像データに対する擬似セキュリティポリシーを前記管理手段から取得する。
【０００９】
また、好ましくは、前記記憶手段に記憶された画像データのフォーマットを、前記セキュリティポリシーを付与することが可能なフォーマットに変換する変換手段と、
前記セキュリティポリシーを管理する管理装置から、前記画像データに対応する前記画像データ付属情報に追加されている擬似セキュリティポリシーに関連づけられているセキュリティポリシーを取得する第２取得手段と、
前記第２取得手段で取得したセキュリティポリシーを、前記変換手段による変換後の画像データに付与する付与手段と
を更に備える。
【００１０】
また、好ましくは、前記入力方式は、スキャナ入力、ファクシミリ受信入力、電子メール受信入力の少なくとも１つを含む。
【００１１】
また、好ましくは、前記セキュリティポリシーは、当該情報処理装置が実現する機能別に、該機能を制限するための情報である。
【００１２】
上記の目的を達成するための本発明による情報処理装置の制御方法は以下の構成を備える。即ち、
入力した画像データのセキュリティ管理を行う情報処理装置の制御方法であって、
管理手段が、画像データにセキュリティポリシーを付与することが可能なフォーマットに該画像データを変換する前の該画像データの画像データ付属情報に追加する、前記セキュリティポリシーに関連付けられた擬似セキュリティポリシーを記憶媒体に管理する管理工程と、
取得手段が、入力した画像データに対する擬似セキュリティポリシーを前記記憶媒体から取得する取得工程と、
追加手段が、前記取得工程で取得した擬似セキュリティポリシーを、前記入力した画像データの画像データ付属情報に追加する追加工程と、
記憶手段が、前記追加工程で擬似セキュリティポリシーが追加された画像データ付属情報と、対応する画像データとを記憶媒体に記憶する記憶工程と
を備える。
【００１３】
上記の目的を達成するための本発明によるコンピュータプログラムは以下の構成を備える。即ち、
入力した画像データのセキュリティ管理を行う情報処理装置の制御をコンピュータに実行させるためのコンピュータプログラムであって、
画像データにセキュリティポリシーを付与することが可能なフォーマットに該画像データを変換する前の該画像データの画像データ付属情報に追加する、前記セキュリティポリシーに関連付けられた擬似セキュリティポリシーを記憶媒体に管理する管理工程と、
入力した画像データに対する擬似セキュリティポリシーを前記記憶媒体から取得する取得工程と、
前記取得工程で取得した擬似セキュリティポリシーを、前記入力した画像データの画像データ付属情報に追加する追加工程と、
前記追加工程で擬似セキュリティポリシーが追加された画像データ付属情報と、対応する画像データとを記憶媒体に記憶する記憶工程と
をコンピュータに実行させる。
【発明の効果】
【００１４】
本発明によれば、画像データのセキュリティ管理をより向上することができる情報処理装置及びその制御方法、プログラムを提供できる。
【発明を実施するための最良の形態】
【００１５】
本発明では、情報処理装置内の独自フォーマット形式の画像データにセキュリティポリシーを付与し、画像データのフォーマットを一般的なフォーマットへ変換した後も、変換前と同様のセキュリティポリシーを保つ構成を提供することを目的とする。これにより、画像データの安全性を向上させることが可能となる。
【００１６】
以下、この目的を実現するための本発明の実施の形態について図面を用いて詳細に説明する。
【００１７】
図１は本発明の実施形態の情報処理装置の一例を示す構成図である。
【００１８】
情報処理装置１００の一例としては、複合機が挙げられる。複合機は、スキャナ機能、プリンタ機能、コピー機能及びファックス機能を有しており、ネットワーク１３を介して他のクライアント１５やポリシーサーバ１６と通信可能である。また、複合機は、公衆回線網１４を介しても他の通信装置と通信可能になっている。
【００１９】
尚、情報処理装置１００は、複合機に限らず、本発明を実現できる構成を有する場合には、デジタル複写機、コピー機能付きプリンタ、ファクシミリ、プリンタ等の印刷装置、スキャナ装置であっても良い。
【００２０】
情報処理装置１００は、主に、スキャナ部１、プリンタ部２及び制御部３で構成されている。
【００２１】
スキャナ部１は、プリンタ部２及び制御部３に接続されており、原稿の画像の読取を行うとともに読取画像の画像データを生成する。さらに、スキャナ部１はその画像データをプリンタ部２又は制御部３に送信する。プリンタ部２は、スキャナ部１又は制御部３から受信した画像データに基づいて画像を記録紙に印刷する。
【００２２】
制御部３は、外部のネットワーク１３や公衆回線網１４と接続し、ネットワーク１３や公衆回線網１４を介して画像データの入出力を行う。また、制御部３は、ユーザが複合機を使用した場合の使用量の蓄積等の情報管理も行う。
【００２３】
制御部３は、ファクシミリ部４、ファイル部５、記憶装置６、ネットワークインタフェース部７、フォーマッタ部８、画像メモリ９、コア部１０で構成されている。
【００２４】
ファクシミリ部４は、コア部１０及び公衆回線網１４に接続しており、公衆回線網１４から受信した圧縮画像データを伸長し、伸長後の画像データをコア部１０へ送信する。また、ファクシミリ部４は、コア部１０から送信された画像データを圧縮し、圧縮画像データを公衆回線網１４を介して他の装置に送信する。尚、ファクシミリ部４で行う画像データの圧縮伸張処理は、例えば、ファクシミリ通信規格（Ｇ３、Ｇ４等）に従う処理である。また、圧縮伸張処理は必須のものではない。
【００２５】
ファイル部５は、コア部１０及び記憶装置６に接続され、コア部１０から送信された画像データを圧縮し、圧縮画像データとこの圧縮画像データを検索するためのキーワードとを共に記憶装置６に記憶する。記憶装置６は、例えば、ハードディスクドライブで実現されるが、これに限定されるものではない。また、ファイル部５は、コア部１０から送信されたキーワードに基づいて、記憶装置６に記憶された圧縮画像データを検索する。そして、ファイル部５は、検索された圧縮画像データを読み出して伸長し、伸長後の画像データをコア部１０に送信する。
【００２６】
フォーマッタ部８は、コア部１０に接続され、例えば、ＰＤＬ（Ｐａｇｅ  Ｄｅｓｃｒｉｐｔｉｏｎ  Ｌａｎｇｕａｇｅ）で記述されたデータをプリンタ部２で処理可能な画像データに展開する。
【００２７】
画像メモリ９は、スキャナ部１からの情報や、ネットワークインタフェース部７を介して送信されてきた情報を一時的に蓄積する。この画像メモリ９は、例えば、ＲＡＭやＲＯＭ等で実現される。
【００２８】
コア部１０は、スキャナ部１、ファクシミリ部４、ファイル部５、ネットワークインタフェース部７、フォーマッタ部８のそれぞれの間でのデータ送受信制御を実行する。また、コア部１０は、情報処理装置１００の機能を実行するためのジョブ制御データを解析して、その解析結果に従う処理を実行する。更に、コア部１０は、ユーザ毎の使用状況を管理するためにコピー枚数、印刷枚数、スキャン枚数等の使用情報を生成して、記憶装置６に蓄積する。
【００２９】
フィニッシャ部１１は、プリンタ部２によって画像が印刷された記録紙を排紙する。操作表示部１２は、情報処理装置１００を操作するための操作画面や、情報を入力する入力画面或いは情報処理装置１００で発生したエラーを示すエラーメッセージを表示する。また、操作表示部１２は、情報処理装置１００を操作するためのキーやボタンを有し、ユーザからの操作指示を入力する。また、上述の圧縮画像データを検索するためのキーワードは、この操作表示部１２を介して入力することができる。
【００３０】
尚、情報処理装置１００内で実行される圧縮伸張処理は必須のものではなく、情報処理装置の処理能力や、画像データの種類によっては、圧縮伸張処理を省略することはもちろん可能である。
【００３１】
次に、コア部１０を制御するためのソフトウェアの構成について、図２を用いて説明する。
【００３２】
図２は本発明の実施形態のコア部を制御するためのソフトウェアの構成の一例を示す構成図である。
【００３３】
尚、図２に示す各種構成要素（２０１〜２０９）それぞれに対応するプログラムがコア部１０のコンピュータによって実行されることにより、以下に説明する情報処理方法が実現される。
【００３４】
画像データ入力サービス群２０１は、画像データを情報処理装置１００へ取り込むソフトウェアサービス群であり、ＡＰＩ２０３を通して、文書管理サービス２０４へ画像データと画像データ付属情報（例：文書名、入力方式情報）を受け渡す。
【００３５】
文書管理サービス２０４は、受け渡された画像データ付属情報から画像データの入力方式（例：ファクシミリ受信入力、スキャナ入力等）を判別する。そして、文書管理サービス２０４（第１取得部）は、その判別結果に基づいて、セキュリティポリシーサービス２０８に対して付与すべき擬似セキュリティポリシー（例：ファックシミリ受信データは編集不可等）を問い合わせ取得する。
【００３６】
また、文書管理サービス２０４は、取得した擬似セキュリティポリシーを画像データ付属情報に追加し、画像データを画像データ・データベース２０５へ、画像データ付属情報を画像データ付属情報・データベース２０６へそれぞれ保存する。
【００３７】
画像データ利用サービス群２０２は、画像データを利用するソフトウェアサービス群であり、ＡＰＩ２０３を通して、文書管理サービス２０４から画像データと画像データ付属情報を取得する。また、画像データ利用サービス群２０２は、フォーマット変換サービス２０７を利用し、画像データのフォーマットを変換することも可能である。
【００３８】
フォーマット変換サービス２０７は、画像データのフォーマットを変換する機能を有している。また、フォーマット変換サービス２０７（第２取得部）は、セキュリティポリシーサービス２０８と通信し、擬似セキュリティポリシーや外部ポリシーサーバ２１０によって規定されているセキュリティポリシーを取得することが可能である。ここで、外部ポリシーサーバ２１０は、セキュリティポリシーを管理する管理装置として機能する。
【００３９】
セキュリティポリシーサービス２０８は、情報処理装置１００内の画像データに付与する擬似セキュリティポリシーを擬似ポリシーデータ・データベース２０９にて管理する。特に、本実施形態では、画像データの入力方式（入力元）情報毎の擬似セキュリティポリシーを管理する（画像データの入力方式の種類毎に、擬似セキュリティポリシーを管理する）。この入力方式情報は、情報処理装置１００が受信（入力）する画像データの受信方法を示すものでありる。図１の構成の場合、入力方式情報には、スキャナ入力、ファクシミリ受信入力、電子メール受信入力等がある。
【００４０】
擬似セキュリティポリシーは、外部ポリシーサーバ２１０にて規定されているセキュリティポリシーから作成される、情報処理装置１００内の画像データ専用のセキュリティポリシーである。また、そのセキュリティ内容は、外部ポリシーサーバ２１０にて規定されているセキュリティポリシーと同等である。また、セキュリティ内容としては、処理対象の画像データに対する、情報処理装置１００の各種機能に対する使用制限（機能別の使用制限）の内の少なくとも１つを含む。使用制限としては、編集、削除、転送、保存等がある。ここで、各種機能には、例えば、コピー、プリント、スキャン、ファクシミリ送受信、インターネットファクシミリ送受信、電子メール送受信機能等がある。
【００４１】
次に、画像データの入力方式に応じてセキュリティポリシーを付与する処理方法について、図３を用いて説明する。
【００４２】
図３は本発明の実施形態の画像データの入力方式に応じてセキュリティポリシーを付与する処理方法を示すシーケンス図である。
【００４３】
ステップＳ３１で、画像データ入力サービス群２０１から文書管理サービス２０４に対して、画像データと画像データ付属情報を送信する。
【００４４】
文書管理サービス２０４は、画像データと画像データ付属情報を受信すると、画像データ付属情報から画像データの入力方式情報（例：ファクシミリ受信入力）を取得する。ステップＳ３２で、文書管理サービス２０４は、セキュリティポリシーサービス２０８へ画像データの入力方式情報を送信する。
【００４５】
ステップＳ３３で、セキュリティポリシーサービス２０８は、受信した画像データの入力方式情報に応じた擬似セキュリティポリシー情報を文書管理サービス２０４へ送信する。
【００４６】
ステップＳ３４で、文書管理サービス２０４は、画像データ付属情報へ受信した擬似セキュリティポリシー情報を追加する。また、ステップＳ３５で、文書管理サービス２０４は、画像データと画像データ付属情報を画像データ・データベース２０５／画像データ付属情報・データベース２０６へ送信する。ステップＳ３６で、画像データ・データベース２０５／画像データ付属情報・データベース２０６は、受信したデータをそれぞれ保存する。
【００４７】
この処理によって、情報処理装置１００内において画像データの入力方式に応じて、フォーマット変換前の画像データに、フォーマット変換後に画像データに付与可能なセキュリティポリシーと同等の擬似セキュリティポリシーを機能させることができる。そして、このフォーマット変換前の画像データに対する処理（編集処理等）を行う場合には、情報処理装置１００は、対応する画像データ付属情報に追加されている擬似セキュリティポリシーの内容に従って、画像データに対する処理を制御する。例えば、擬似セキュリティポリシーの内容が、編集不可かつ閲覧可となっている場合には、情報処理装置１００のユーザは、処理対象の画像データの閲覧のみ可能となる。
【００４８】
次に、画像データのフォーマットの変換後も変換前と同様のセキュリティポリシーを維持する処理方法について、図４を用いて説明する。
【００４９】
図４は本発明の実施形態の画像データのフォーマットの変換前後でセキュリティポリシーを維持する処理方法を示すシーケンス図である。
【００５０】
ステップＳ４１で、画像データ利用サービス群２０２は、文書管理サービス２０４から画像データと画像データ付属情報を取得する。ステップＳ４２で、画像データ利用サービス群２０２は、画像データと画像データ付属情報をフォーマット変換サービス２０７へ送信する。
【００５１】
ステップＳ４３で、フォーマット変換サービス２０７は、受信した画像データをフォーマット変換する。ここでは、フォーマット変換の一例としてＰＤＦ化を行っている。その後、ステップＳ４４で、フォーマット変換サービス２０７は、ＰＤＦ化した画像データの識別情報であるＩＤと、元の画像データに付与されていた擬似セキュリティポリシーを、セキュリティポリシーサービス２０８へ送信する。
【００５２】
ステップＳ４５で、セキュリティポリシーサービス２０８は、受信した擬似セキュリティポリシーをキーとして、擬似セキュリティポリシーデータ・データベース２０９へ送信する。その後、ステップＳ４６で、セキュリティポリシーサービス２０８は、擬似セキュリティポリシーデータ・データベース２０９から擬似セキュリティポリシーと関連付けられたセキュリティポリシー情報を取得する。また、ステップＳ４７で、セキュリティポリシーサービス２０８は、外部ポリシーサーバ２１０へＰＤＦ化した画像データの識別情報であるＩＤとセキュリティポリシー情報を送信する。
【００５３】
外部ポリシーサーバ２１０は、受信したＩＤとセキュリティポリシー情報をもとに、セキュリティポリシーを付与する画像データに対する固有のＵＩＤとセキュリティポリシー（例：暗号化鍵）を生成する。そして、ステップＳ４８で、外部ポリシーサーバ２１０は、生成したセキュリティポリシーをセキュリティポリシーサービス２０８へ送信する。
【００５４】
ステップＳ４９で、セキュリティポリシーサービス２０８は、受信したＵＩＤとセキュリティポリシーをフォーマット変換サービス２０７に送信する。
【００５５】
ステップＳ５０で、フォーマット変換サービス２０７は、受信したＵＩＤとセキュリティポリシーを利用して、ステップＳ４３でＰＤＦ化した画像データにセキュリティポリシーを付与（暗号化）する。その後、ステップＳ５１で、フォーマット変換サービス２０７は、セキュリティポリシーを付与したＰＤＦ化した画像データを画像データ利用サービス群２０２へ送信する。
【００５６】
以上説明したように、本実施形態によれば、管理対象（処理対象）の画像データのフォーマット変換前には、変換後に付与するセキュリティポリシーに関連付けられている擬似セキュリティポリシーを付与する。これにより、画像データのフォーマットの変換前でも、変換後に付与するセキュリティポリシーと同等のセキュリティ管理を行うことが可能となる。
【００５７】
以上、実施形態例を詳述したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
【００５８】
尚、本発明は、前述した実施形態の機能を実現するソフトウェアのプログラム（実施形態では図に示すフローチャートに対応したプログラム）を、システムあるいは装置に直接あるいは遠隔から供給する。そして、そのシステムあるいは装置のコンピュータが該供給されたプログラムコードを読み出して実行することによっても達成される場合を含む。
【００５９】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００６０】
その場合、プログラムの機能を有していれば、オブジェクトコード、インタプリタにより実行されるプログラム、ＯＳに供給するスクリプトデータ等の形態であっても良い。
【００６１】
プログラムを供給するための記録媒体としては、例えば、フロッピー（登録商標）ディスク、ハードディスク、光ディスクがある。また、更に、記録媒体としては、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００６２】
その他、プログラムの供給方法としては、クライアントコンピュータのブラウザを用いてインターネットのホームページに接続する。そして、その接続先のホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６３】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００６４】
また、コンピュータが、読み出したプログラムを実行することによって、前述した実施形態の機能が実現される。また、そのプログラムの指示に基づき、コンピュータ上で稼動しているＯＳなどが、実際の処理の一部または全部を行ない、その処理によっても前述した実施形態の機能が実現され得る。
【００６５】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行ない、その処理によっても前述した実施形態の機能が実現される。
【図面の簡単な説明】
【００６６】
【図１】本発明の実施形態の情報処理装置の一例を示す構成図である。
【図２】本発明の実施形態のコア部を制御するためのソフトウェアの構成の一例を示す構成図である。
【図３】本発明の実施形態の画像データの入力方式に応じてセキュリティポリシーを付与する処理方法を示すシーケンス図である。
【図４】本発明の実施形態の画像データのフォーマットの変換前後でセキュリティポリシーを維持する処理方法を示すシーケンス図である。
【符号の説明】
【００６７】
１００  情報処理装置
１  スキャナ部
２  プリンタ部
３  制御部
４  ファクシミリ部
５  ファイル部
６  記憶装置
７  ネットワークインタフェース部
８  フォーマッタ部
９  画像メモリ
１０  コア部
１１  フィニッシャ部
１２  操作表示部
１３  ネットワーク
１４  公衆回線
１５  クライアント
１６  ポリシーサーバ
２０１  画像データ入力サービス群
２０２  画像データ利用サービス群
２０３  ＡＰＩ
２０４  文書管理サービス
２０５  画像データ・データベース
２０６  画像データ付属情報・データベース
２０７  フォーマット変換サービス
２０８  セキュリティポリシーサービス
２０９  擬似ポリシーデータ・データベース
２１０  外部ポリシーサーバ
【図１】
2008310774.tif 000003
【図２】
2008310774.tif 000004
【図３】
2008310774.tif 000005
【図４】
2008310774.tif 000006